(57)【要約】      （修正有）【課題】各引出部に対応して鑑別手段を複数設ける場合と比較して鑑別手段の設置数を減らすことができ、よって製造コストやメンテナンスコストを低減するとともに筐体の内部のスペースに制約ができてしまうことを抑制することができる有価媒体収納装置を提供する。【解決手段】有価媒体収納装置（例えば、貨幣収納装置１０）は、筐体１２に対する引出部（例えば、収納ドロア２０、２２、２４、２６）の出し入れ時に当該引出部の収納領域に収納されている有価媒体に係る情報を取得する鑑別手段を備えている。少なくとも鑑別手段から最も遠い側の引出部以外の各引出部に対応して鑑別用空間２０ｂ、２２ｂ、２４ｂが設けられており、鑑別手段により引出部の収納領域に収納されている有価媒体に係る情報を取得する際に鑑別用空間を介して情報を取得することができるようになっている。【選択図】図７
2017167784.tif 000002
【特許請求の範囲】
【請求項１】
筐体と、
前記筐体の内部に収容されるとともに当該筐体から引き出し可能となるよう並べて設けられ、有価媒体を収納する収納領域が内部に形成されている複数の引出部と、
前記筐体に対する前記引出部の出し入れ時に当該引出部の前記収納領域に収納されている有価媒体に係る情報を取得する鑑別手段と、
を備え、
少なくとも前記鑑別手段から最も遠い側の前記引出部以外の各前記引出部に対応して鑑別用空間が設けられており、前記鑑別手段により前記引出部の前記収納領域に収納されている有価媒体に係る情報を取得する際に前記鑑別用空間を介して情報を取得することができるようになっている、有価媒体収納装置。
【請求項２】
前記鑑別手段は複数の前記引出部の一端側に設けられている、請求項１記載の有価媒体収納装置。
【請求項３】
前記鑑別手段は、前記筐体の内部における前記引出部の引き出し方向手前側の位置に設けられている、請求項１または２記載の有価媒体収納装置。
【請求項４】
前記鑑別用空間は、前記引出部の内部における前記収納領域よりも引き出し方向手前側に形成されている、請求項１乃至３のいずれか一項に記載の有価媒体収納装置。
【請求項５】
前記鑑別用空間は、前記筐体の内部に収容されている状態における前記引出部の前面よりも引き出し方向手前側に形成されている、請求項１乃至３のいずれか一項に記載の有価媒体収納装置。
【請求項６】
前記鑑別用空間は、前記筐体の内部に収容されている状態における前記引出部の前面と、前記筐体の前面との間に形成されている、請求項５記載の有価媒体収納装置。
【請求項７】
前記引出部は鉛直方向に沿って並ぶよう設けられており、前記鑑別手段は、各前記引出部よりも上方または下方に配置されており、
前記鑑別手段により前記引出部の前記収納領域に収納されている有価媒体に係る情報を取得する際に、鑑別されるべき有価媒体が収納されている前記引出部よりも前記鑑別手段に近い側の各前記引出部に対応する前記鑑別用空間を介して情報を取得するようになっている、請求項１乃至６のいずれか一項に記載の有価媒体収納装置。
【請求項８】
前記鑑別手段により鑑別されるべき有価媒体が収納されている前記引出部を指定する指定手段を更に備え、
前記鑑別手段は、各前記引出部が並ぶ方向に沿って移動可能となっており有価媒体の鑑別を行う鑑別部材および前記鑑別部材を駆動する駆動部を有しており、
前記指定手段により指定された前記引出部の位置に応じて前記鑑別部材が前記駆動部により各前記引出部に対応する位置に移動させられるようになっている、請求項１乃至７のいずれか一項に記載の有価媒体収納装置。
【請求項９】
前記鑑別手段により鑑別されるべき有価媒体が収納されている前記引出部を指定する指定手段を更に備え、
前記鑑別手段は、有価媒体の鑑別を行う鑑別部材および前記鑑別部材による鑑別態様を調整する調整部を有しており、
前記指定手段により指定された前記引出部の位置に応じて前記鑑別部材による鑑別態様が前記調整部により調整させられるようになっている、請求項１乃至７のいずれか一項に記載の有価媒体収納装置。
【請求項１０】
前記引出部の前記収納領域に出し入れされる有価媒体の情報を入力するための入力手段と、
前記鑑別手段による鑑別結果に基づく前記引出部の前記収納領域に出し入れされた有価媒体の情報と、前記入力手段により入力された前記引出部の前記収納領域に出し入れされる有価媒体の情報とが一致するか否かを判定する判定手段と、
を更に備えた、請求項１乃至９のいずれか一項に記載の有価媒体収納装置。
【請求項１１】
前記鑑別手段による鑑別結果に基づく前記引出部の前記収納領域に出し入れされた有価媒体の情報と、前記入力手段により入力された前記引出部の前記収納領域に出し入れされる有価媒体の情報とが一致しないと前記判定手段により判定されたときに、前記判定手段による判定結果に係る情報を報知する報知手段を更に備えた、請求項１０記載の有価媒体収納装置。
【発明の詳細な説明】
【技術分野】
【０００１】
本発明は、包装硬貨や帯封紙幣等の有価媒体を収納する有価媒体収納装置に関する。
【背景技術】
【０００２】
包装硬貨や帯封紙幣等の貨幣を収納する貨幣収納装置として従来から様々なタイプのものが知られている。例えば、特許文献１には、筐体に対してスライド開閉可能に設けられた収納庫に貨幣が収納されるような現金管理装置が開示されている。特許文献１に開示される現金管理装置では、収納庫の開閉に伴って通過する収納物の上下方向の端部から貨幣検出情報を取得するラインセンサ等の貨幣検出部が筐体側に設けられている。また、記憶部には、収納物の数量マスタ情報が記憶されており、制御部は、貨幣検出部による貨幣検出情報と記憶部に記憶されている数量マスタ情報とを照合することにより収納庫における収納物の数量検出情報を取得するようになっている。
【先行技術文献】
【特許文献】
【０００３】
【特許文献１】特開２０１１−１５９１６４号公報
【発明の概要】
【発明が解決しようとする課題】
【０００４】
特許文献１に開示される現金管理装置では、収納庫が鉛直方向に沿って並ぶよう配置されており、各収納庫に対応してラインセンサ等の貨幣検出部が設けられている。しかしながら、各収納庫に対応するよう貨幣検出部を複数設置すると収納庫の数が増えた場合には貨幣検出部の数も収納庫の数に合わせて増加するため製造コストやメンテナンスコストが高くなってしまうという問題がある。また、各収納庫に対応して貨幣検出部を設置する場合には例えば隣り合う収納庫の間の距離を大きくしなければならないため筐体の内部のスペースに制約ができてしまうという問題がある。
【０００５】
本発明は、このような点を考慮してなされたものであり、１つの鑑別手段で複数の引出部の収納領域に収納されている有価媒体に係る情報を取得することができ、よって各引出部に対応して鑑別手段を複数設ける場合と比較して鑑別手段の設置数を減らすことができ、このことにより製造コストやメンテナンスコストを低減するとともに筐体の内部のスペースに制約ができてしまうことを抑制することができる有価媒体収納装置を提供することを目的とする。
【課題を解決するための手段】
【０００６】
本発明の有価媒体収納装置は、筐体と、前記筐体の内部に収容されるとともに当該筐体から引き出し可能となるよう並べて設けられ、有価媒体を収納する収納領域が内部に形成されている複数の引出部と、前記筐体に対する前記引出部の出し入れ時に当該引出部の前記収納領域に収納されている有価媒体に係る情報を取得する鑑別手段と、を備え、少なくとも前記鑑別手段から最も遠い側の前記引出部以外の各前記引出部に対応して鑑別用空間が設けられており、前記鑑別手段により前記引出部の前記収納領域に収納されている有価媒体に係る情報を取得する際に前記鑑別用空間を介して情報を取得することができるようになっていることを特徴とする。
【０００７】
このような有価媒体収納装置によれば、少なくとも鑑別手段から最も遠い側の引出部以外の各引出部に対応して鑑別用空間が設けられており、鑑別手段により引出部の収納領域に収納されている有価媒体に係る情報を取得する際に鑑別用空間を介して情報を取得することができるようになっているため、１つの鑑別手段で複数の引出部の収納領域に収納されている有価媒体に係る情報を取得することができ、よって各引出部に対応して鑑別手段を複数設ける場合と比較して鑑別手段の設置数を減らすことができ、このことにより製造コストやメンテナンスコストを低減するとともに筐体の内部のスペースに制約ができてしまうことを抑制することができる。
【０００８】
本発明の有価媒体収納装置においては、前記鑑別手段は複数の前記引出部の一端側に設けられていてもよい。
【０００９】
本発明の有価媒体収納装置においては、前記鑑別手段は、前記筐体の内部における前記引出部の引き出し方向手前側の位置に設けられていてもよい。
【００１０】
本発明の有価媒体収納装置においては、前記鑑別用空間は、前記引出部の内部における前記収納領域よりも引き出し方向手前側に形成されていてもよい。
【００１１】
あるいは、前記鑑別用空間は、前記筐体の内部に収容されている状態における前記引出部の前面よりも引き出し方向手前側に形成されていてもよい。
【００１２】
この場合、前記鑑別用空間は、前記筐体の内部に収容されている状態における前記引出部の前面と、前記筐体の前面との間に形成されていてもよい。
【００１３】
本発明の有価媒体収納装置においては、前記引出部は鉛直方向に沿って並ぶよう設けられており、前記鑑別手段は、各前記引出部よりも上方または下方に配置されており、前記鑑別手段により前記引出部の前記収納領域に収納されている有価媒体に係る情報を取得する際に、鑑別されるべき有価媒体が収納されている前記引出部よりも前記鑑別手段に近い側の各前記引出部に対応する前記鑑別用空間を介して情報を取得するようになっていてもよい。
【００１４】
本発明の有価媒体収納装置は、前記鑑別手段により鑑別されるべき有価媒体が収納されている前記引出部を指定する指定手段を更に備え、前記鑑別手段は、各前記引出部が並ぶ方向に沿って移動可能となっており有価媒体の鑑別を行う鑑別部材および前記鑑別部材を駆動する駆動部を有しており、前記指定手段により指定された前記引出部の位置に応じて前記鑑別部材が前記駆動部により各前記引出部に対応する位置に移動させられるようになっていてもよい。
【００１５】
あるいは、本発明の有価媒体収納装置は、前記鑑別手段により鑑別されるべき有価媒体が収納されている前記引出部を指定する指定手段を更に備え、前記鑑別手段は、有価媒体の鑑別を行う鑑別部材および前記鑑別部材による鑑別態様を調整する調整部を有しており、前記指定手段により指定された前記引出部の位置に応じて前記鑑別部材による鑑別態様が前記調整部により調整させられるようになっていてもよい。
【００１６】
本発明の有価媒体収納装置は、前記引出部の前記収納領域に出し入れされる有価媒体の情報を入力するための入力手段と、前記鑑別手段による鑑別結果に基づく前記引出部の前記収納領域に出し入れされた有価媒体の情報と、前記入力手段により入力された前記引出部の前記収納領域に出し入れされる有価媒体の情報とが一致するか否かを判定する判定手段と、を更に備えていてもよい。
【００１７】
この場合、本発明の有価媒体収納装置は、前記鑑別手段による鑑別結果に基づく前記引出部の前記収納領域に出し入れされた有価媒体の情報と、前記入力手段により入力された前記引出部の前記収納領域に出し入れされる有価媒体の情報とが一致しないと前記判定手段により判定されたときに、前記判定手段による判定結果に係る情報を報知する報知手段を更に備えていてもよい。
【発明の効果】
【００１８】
本発明の有価媒体収納装置によれば、１つの鑑別手段で複数の引出部の収納領域に収納されている有価媒体に係る情報を取得することができ、よって各引出部に対応して鑑別手段を複数設ける場合と比較して鑑別手段の設置数を減らすことができ、このことにより製造コストやメンテナンスコストを低減するとともに筐体の内部のスペースに制約ができてしまうことを抑制することができる。
【図面の簡単な説明】
【００１９】
【図１】本発明の実施の形態による貨幣収納装置の外観を示す斜視図である。
【図２】図１に示す貨幣収納装置における第１紙幣収納ドロアの構成を概略的に示す斜視図である。
【図３】従来の貨幣収納装置における収納ドロアの構成を概略的に示す斜視図である。
【図４】図１に示す貨幣収納装置における第１紙幣収納ドロアの構成の詳細を示す斜視図である。
【図５】図１に示す貨幣収納装置における第１硬貨収納ドロアの構成の詳細を示す斜視図である。
【図６】図１に示す貨幣収納装置において各収納ドロアが筐体の内部に収納されているときの内部構成を示す側面図である。
【図７】図１に示す貨幣収納装置において第２紙幣収納ドロアが筐体の前面から手前側に引き出されている途中の状態における内部構成を示す側面図である。
【図８】図１に示す貨幣収納装置における制御系の構成を示す機能ブロック図である。
【図９】変形例に係る貨幣収納装置において各収納ドロアが筐体の内部に収納されているときの内部構成を示す側面図である。
【図１０】別の変形例に係る貨幣収納装置において各収納ドロアが筐体の内部に収納されているときの内部構成を示す側面図である。
【図１１】図１に示す貨幣収納装置で用いることができる収納トレイの構成を示す斜視図である。
【図１２】図１１に示す収納トレイを複数収容する受け部の構成を示す斜視図である。
【発明を実施するための形態】
【００２０】
以下、図面を参照して本発明の実施の形態について説明する。図１乃至図８は、本実施の形態に係る貨幣処理装置を示す図である。このうち、図１は、本実施の形態による貨幣収納装置の外観を示す斜視図であり、図２は、図１に示す貨幣収納装置における第１紙幣収納ドロアの構成を概略的に示す斜視図である。なお、図３は、従来の貨幣収納装置における収納ドロアの構成を概略的に示す斜視図である。また、図４は、図１に示す貨幣収納装置における第１紙幣収納ドロアの構成の詳細を示す斜視図であり、図５は、図１に示す貨幣収納装置における第１硬貨収納ドロアの構成の詳細を示す斜視図である。また、図６は、図１に示す貨幣収納装置において各収納ドロアが筐体の内部に収納されているときの内部構成を示す側面図であり、図７は、図１に示す貨幣収納装置において第２紙幣収納ドロアが筐体の前面から手前側に引き出されている途中の状態における内部構成を示す側面図である。また、図８は、図１に示す貨幣収納装置における制御系の構成を示す機能ブロック図である。なお、以下に説明するような本実施の形態による貨幣収納装置は、例えば銀行等の金融機関において帯封紙幣や包装硬貨等の有価媒体を管理する現金バスとして設置されるようになっている。
【００２１】
図１等に示すように、本実施の形態による貨幣収納装置１０は、略直方体形状の筐体１２と、筐体１２の内部にそれぞれ収容されるとともに筐体１２の前面１２ａからそれぞれ手前側に引出可能となっている第１紙幣収納ドロア２０、第２紙幣収納ドロア２２、第１硬貨収納ドロア２４、第２硬貨収納ドロア２６および予備収納ドロア２８とを備えている。ここで、図６および図７に示すように、各収納ドロア２０、２２、２４、２６は鉛直方向に沿って並ぶよう設けられている。なお、図６は、図１に示す貨幣収納装置１０において各収納ドロア２０、２２、２４、２６が筐体１２の内部に収納されているときの内部構成を示す側面図であり、図７は、第２紙幣収納ドロア２２が筐体１２の前面から手前側に引き出されている途中の状態における内部構成を示す側面図である。ここで、図６および図７において、筐体１２の右側の側面が貨幣収納装置１０の手前側の面（すなわち、筐体１２の前面１２ａ）となっており、図６および図７における左向きの方向が貨幣収納装置１０の奥行き方向となっている。
【００２２】
図２および図４に示すように、第１紙幣収納ドロア２０は、帯封紙等により帯封された帯封紙幣が例えば金種毎に収納される複数（具体的には、例えば３つ）の収納ユニット２０ａを有している。より詳細には、各収納ユニット２０ａは、１０束の帯封紙幣を立位状態で収納可能な収納領域を複数（具体的には、２〜４つ）有しており、各収納領域は他の収納領域から区切り部材により区切られている。また、第１紙幣収納ドロア２０において、各収納ユニット２０ａよりも手前側には中空の鑑別用空間２０ｂ（言い換えると、空洞の鑑別用空間２０ｂ）が形成されており、この鑑別用空間２０ｂは図２や図４において上下方向に貫通している。また、第１紙幣収納ドロア２０の前面には、筐体１２の内部から当該第１紙幣収納ドロア２０を引き出す際に操作者の手により把持される取っ手２０ｃが設けられている。
【００２３】
なお、従来の貨幣収納装置に設けられる収納ドロア２０ｐを図３に示す。図３に示すように、従来の貨幣収納装置に設けられる収納ドロア２０ｐには、帯封紙幣や包装硬貨が金種毎に収納される複数の収納ユニット２０ａは設けられているものの、各収納ユニット２０ａよりも手前側に中空の鑑別用空間２０ｂは形成されていない。
【００２４】
また、第２紙幣収納ドロア２２は第１紙幣収納ドロア２０と略同一の構成となっている。具体的には、第２紙幣収納ドロア２２は、帯封紙幣が例えば金種毎に収納される複数（具体的には、例えば３つ）の収納ユニット２２ａを有している。また、第２紙幣収納ドロア２２において、各収納ユニット２２ａよりも手前側には中空の鑑別用空間２２ｂが形成されており、この鑑別用空間２２ｂは上下方向に貫通している（図６および図７参照）。また、第２紙幣収納ドロア２２の前面には、筐体１２の内部から当該第２紙幣収納ドロア２２を引き出す際に操作者の手により把持される取っ手２２ｃが設けられている。
【００２５】
また、図５、図６および図７に示すように、第１硬貨収納ドロア２４は、同一金種のバラ硬貨を一定枚数（例えば、２０枚や５０枚）だけ棒状にまとめてフィルムや包装紙等により包装した包装硬貨が例えば金種毎に収納される複数（具体的には、例えば２つ）の収納ユニット２４ａを有している。各収納ユニット２４ａは、１０本の包装硬貨を立位状態で収納可能な収納領域を複数（具体的には、１０つ）有しており、各収納領域は他の収納領域から区切り部材により区切られている。また、第１硬貨収納ドロア２４において、各収納ユニット２４ａよりも手前側には中空の鑑別用空間２４ｂが形成されており、この鑑別用空間２４ｂは図５において上下方向に貫通している。また、第１硬貨収納ドロア２４の前面には、筐体１２の内部から当該第１硬貨収納ドロア２４を引き出す際に操作者の手により把持される取っ手２４ｃが設けられている。
【００２６】
また、第２硬貨収納ドロア２６は第１硬貨収納ドロア２４と略同一の構成となっている。具体的には、第２硬貨収納ドロア２６は、包装硬貨が例えば金種毎に収納される複数（具体的には、例えば２つ）の収納ユニット２６ａを有している。また、第２硬貨収納ドロア２６において、各収納ユニット２６ａよりも手前側には中空の鑑別用空間２６ｂが形成されており、この鑑別用空間２６ｂは上下方向に貫通している（図６および図７参照）。また、第２硬貨収納ドロア２６の前面には、筐体１２の内部から当該第２硬貨収納ドロア２６を引き出す際に操作者により把持される取っ手２６ｃが設けられている。
【００２７】
なお、第２硬貨収納ドロア２６が４つの収納ドロア２０、２２、２４、２６のうち最も下側に設けられており、この第２硬貨収納ドロア２６が撮像カメラ４２から最も遠い位置にある場合には、第２硬貨収納ドロア２６において鑑別用空間２０ｂが形成されていなくてもよい。すなわち、第２硬貨収納ドロア２６として、図３に示すような構成のものが用いられてもよい。しかしながら、第２硬貨収納ドロア２６に鑑別用空間２６ｂを形成した場合には、本実施の形態による貨幣収納装置１０において第１硬貨収納ドロア２４および第２硬貨収納ドロア２６の位置を入れ替えた運用を行うことができるようになる。
【００２８】
また、予備収納ドロア２８には現金以外の小切手等の有価証券類が収納されるようになっている。
【００２９】
また、本実施の形態の貨幣収納装置１０では、第１紙幣収納ドロア２０は第１ロック部２０ｒ（図８参照）により筐体１２の内部に収容された状態でロックされるようになっている。すなわち、第１ロック部２０ｒにより第１紙幣収納ドロア２０が筐体１２の内部に収容された状態でロックされている場合には、操作者は第１紙幣収納ドロア２０を筐体１２の内部から当該筐体１２の手前側に引き出すことができないようになっている。一方、第１ロック部２０ｒによる第１紙幣収納ドロア２０のロックが解除されると、操作者は第１紙幣収納ドロア２０を筐体１２の内部から当該筐体１２の手前側に引き出すことができるようになる。同様に、第２紙幣収納ドロア２２は第２ロック部２２ｒ（図８参照）により筐体１２の内部に収容された状態でロックされるようになっている。また、第１硬貨収納ドロア２４および第２硬貨収納ドロア２６はそれぞれ第３ロック部２４ｒおよび第４ロック部２６ｒ（図８参照）により筐体１２の内部に収容された状態でロックされるようになっている。また、予備収納ドロア２８は第５ロック部２８ｒ（図８参照）により筐体１２の内部に収容された状態でロックされるようになっている。
【００３０】
また、本実施の形態の貨幣収納装置１０では、筐体１２に対する各収納ドロア２０、２２、２４、２６の出し入れ時に当該収納ドロア２０、２２、２４、２６の各収納ユニット２０ａ、２２ａ、２４ａ、２６ａに収納されている帯封紙幣や包装硬貨に係る情報を取得する鑑別手段４０（図８参照）が設けられている。より詳細には、鑑別手段４０は、筐体１２の内部において第１紙幣収納ドロア２０よりも上方に位置固定で設けられている撮像カメラ４２を有しており、当該撮像カメラ４２は鉛直方向下方に向けられている。なお、図６および図７において、撮像カメラ４２により撮像される箇所を点線で示す。また、撮像カメラ４２は、筐体１２の内部において各収納ドロア２０、２２、２４、２６の引き出し方向（すなわち、図６や図７における右方向）の手前側の位置に設けられている。ここで、本実施の形態では、撮像カメラ４２は、筐体１２に収容されている状態における各収納ドロア２０、２２、２４、２６の鑑別用空間２０ｂ、２２ｂ、２４ｂ、２６ｂの真上の位置に設けられている。このことにより、撮像カメラ４２は、筐体１２に対する上から２番目以降の各収納ドロア２２、２４、２６（例えば、第２紙幣収納ドロア２２）の出し入れ時に、この撮像カメラ４２と出し入れされる第２紙幣収納ドロア２２との間の第１紙幣収納ドロア２０の鑑別用空間２０ｂを介して、第２紙幣収納ドロア２２の収納ユニット２０ａに収納されている帯封紙幣を撮像することができるようになる。同様に、筐体１２に対して第１硬貨収納ドロア２４や第２硬貨収納ドロア２６が出し入れされる際にも、撮像カメラ４２と、第１硬貨収納ドロア２４や第２硬貨収納ドロア２６との間に設けられた他の複数の収納ドロアの鑑別用空間を介して、第１硬貨収納ドロア２４や第２硬貨収納ドロア２６に収納されている包装硬貨を撮像することができるようになる。なお、第２硬貨収納ドロア２６が４つの収納ドロア２０、２２、２４、２６のうち最も下側に設けられており、この第２硬貨収納ドロア２６が撮像カメラ４２から最も遠い位置にある場合には、この第２硬貨収納ドロア２６よりも下方の領域を撮像カメラ４２により撮像する必要がないため、第２硬貨収納ドロア２６において鑑別用空間２６ｂが形成されていなくてもよい。
【００３１】
また、図１に示すように、貨幣収納装置１０の筐体１２の上面における手前側の部分には表示部５０、操作部５２およびカードリーダ５４がそれぞれ設けられている。表示部５０は、各収納ドロア２０、２２、２４、２６に収納されている帯封紙幣や包装硬貨の在高等の様々な情報を表示するようになっている。また、操作部５２は例えばキーボード等から構成されており、操作者は操作部５２により後述する貨幣収納装置１０の制御部６０に対して様々な指令を与えることができるようになっている。また、カードリーダ５４は、操作者が所持するＩＤカードに記憶されている情報を読み取るようになっている。
【００３２】
また、本実施の形態による貨幣収納装置１０には、当該貨幣収納装置１０の各構成部材を制御する制御部６０が設けられている。図８に示すように、制御部６０には、各ロック部２０ｒ、２２ｒ、２４ｒ、２６ｒ、２８ｒ、鑑別手段４０（具体的には、撮像カメラ４２）、表示部５０、操作部５２、カードリーダ５４がそれぞれ接続されている。ここで、鑑別手段４０の撮像カメラ４２により撮像された画像や、操作部５２により入力された指令、およびカードリーダ５４により読み取られたＩＤカードの情報はそれぞれ制御部６０に送られるようになっている。また、制御部６０は各ロック部２０ｒ、２２ｒ、２４ｒ、２６ｒ、２８ｒに指令信号を送ることにより、各ロック部２０ｒ、２２ｒ、２４ｒ、２６ｒ、２８ｒにより各収納ドロア２０、２２、２４、２６、２８のロックを行うか否かの制御を行うようになっている。
【００３３】
また、図８に示すように、制御部６０には、記憶部６２および通信インターフェース部６４がそれぞれ接続されている。記憶部６２は、各収納ドロア２０、２２、２４、２６に収納されている帯封紙幣や包装硬貨の在高等の様々な情報を記憶するようになっている。また、制御部６０は通信インターフェース部６４を介して上位端末等の外部装置６６に対して様々な信号の送受信を行うことができるようになっている。
【００３４】
また、図８に示すように、制御部６０には、指定手段４６および判定手段４８がそれぞれ接続されている。指定手段４６は、鑑別手段４０により鑑別されるべき帯封紙幣や包装硬貨が収納されている収納ドロア２０、２２、２４、２６を指定するようになっている。また、判定手段４８は、鑑別手段４０による鑑別結果に基づく収納ドロア２０、２２、２４、２６に出し入れされた帯封紙幣や包装硬貨の情報と、操作部５２により入力された収納ドロア２０、２２、２４、２６に出し入れされた帯封紙幣や包装硬貨の情報とが一致するか否かを判定するようになっている。これらの指定手段４６および判定手段４８の機能の詳細については後述する。
【００３５】
次に、本実施の形態による貨幣収納装置１０の動作について説明する。なお、以下に示すような貨幣収納装置１０の動作は、制御部６０が貨幣収納装置１０の各構成部材を制御することにより行われるようになっている。
【００３６】
貨幣収納装置１０の収納ドロア２０、２２、２４、２６に帯封紙幣や包装硬貨を収納したり、収納ドロア２０、２２、２４、２６から帯封紙幣や包装硬貨を取り出したりする際に、操作者はまずＩＤカードをカードリーダ５４により読み取らせたり操作者の識別番号を操作部５２によって入力したりすることにより、操作者の権限等の情報を制御部６０に入力する。そして、制御部６０に入力された操作者の権限が予め設定された所定の権限である場合には、どの収納ドロア２０、２２、２４、２６を引き出すかを選択する画面が表示部５０に表示されるようになり、操作者は操作部５２によりどの収納ドロア２０、２２、２４、２６を引き出すかを選択することができるようになる。どの収納ドロア２０、２２、２４、２６を引き出すかが操作部５２により選択されると、指定手段４６は、操作部５２により入力された情報に基づいて、鑑別手段４０により鑑別されるべき帯封紙幣や包装硬貨が収納されている収納ドロア２０、２２、２４、２６を指定するようになる。また、操作者は、操作部５２により、収納ドロア２０、２２、２４、２６の収納ユニット２０ａ、２２ａ、２４ａ、２６ａに出し入れされる帯封紙幣や包装硬貨の情報（具体的には、帯封紙幣や包装硬貨の金種毎の数や合計金額等の情報）を入力する。
【００３７】
そして、鑑別手段４０により鑑別されるべき帯封紙幣や包装硬貨が収納されている収納ドロア２０、２２、２４、２６が指定手段４６により指定されると、制御部６０は、この指定された収納ドロア２０、２２、２４、２６に対応するロック部２０ｒ、２２ｒ、２４ｒ、２６ｒによる当該収納ドロア２０、２２、２４、２６のロックを解除する。このことにより、操作者は、指定手段４６により指定された収納ドロア２０、２２、２４、２６を筐体１２の内部から当該筐体１２の手前側に引き出すことができるようになる。なお、ロック部２０ｒ、２２ｒ、２４ｒ、２６ｒによる収納ドロア２０、２２、２４、２６のロックが解除されると、このロックが解除された収納ドロア２０、２２、２４、２６が筐体１２の内部から当該筐体１２の手前側に自動で飛び出るようになっていてもよい。また、本実施の形態では、収納ドロア２０、２２、２４、２６が筐体１２の内部から当該筐体１２の手前側に引き出される際に、収納ドロア２０、２２、２４、２６の収納ユニット２０ａ、２２ａ、２４ａ、２６ａに収納されている帯封紙幣や包装硬貨が鑑別手段４０の撮像カメラ４２により撮像されるようになっている。より詳細には、４つの収納ドロア２０、２２、２４、２６のうち最も上側に位置する第１紙幣収納ドロア２０が筐体１２の内部から当該筐体１２の手前側に引き出される場合には、第１紙幣収納ドロア２０と撮像カメラ４２との間には他の収納ドロアが存在しないため、第１紙幣収納ドロア２０の収納ユニット２０ａに収納されている帯封紙幣は撮像カメラ４２により直接的に撮像されるようになる。また、上から２番目に位置する第２紙幣収納ドロア２２が筐体１２の内部から当該筐体１２の手前側に引き出される場合には、第２紙幣収納ドロア２２と撮像カメラ４２との間には第１紙幣収納ドロア２０が存在するが、この第１紙幣収納ドロア２０における収納ユニット２０ａよりも手前側に鑑別用空間２０ｂが形成されているため、撮像カメラ４２は、第１紙幣収納ドロア２０の鑑別用空間２０ｂを介して、第２紙幣収納ドロア２２の収納ユニット２２ａに収納されている帯封紙幣を撮像することができるようになる。同様に、筐体１２に対して第１硬貨収納ドロア２４や第２硬貨収納ドロア２６が出し入れされる際にも、撮像カメラ４２と、第１硬貨収納ドロア２４や第２硬貨収納ドロア２６との間に設けられた他の収納ドロアの鑑別用空間を介して、第１硬貨収納ドロア２４や第２硬貨収納ドロア２６に収納されている包装硬貨を撮像することができるようになる。このように、本実施の形態では、各収納ドロア２０、２２、２４、２６において収納ユニット２０ａ、２２ａ、２４ａ、２６ａよりも手前側に鑑別用空間２０ｂ、２２ｂ、２４ｂ、２６ｂが形成されているため、１つの撮像カメラ４２により４つの収納ドロア２０、２２、２４、２６の各々に収納されている帯封紙幣や包装硬貨を撮像することができるようになる。
【００３８】
制御部６０は、筐体１２の内部から収納ドロア２０、２２、２４、２６が引き出される際に撮像カメラ４２により撮像された画像と、筐体１２の内部に収納ドロア２０、２２、２４、２６が戻される際に撮像カメラ４２により撮像された画像とに基づいて、収納ドロア２０、２２、２４、２６に出し入れされた帯封紙幣や包装硬貨の情報（具体的には、収納ドロア２０、２２、２４、２６に出し入れされた帯封紙幣や包装硬貨の金種毎の数や合計金額等の情報）を算出する。より詳細には、筐体１２の内部から収納ドロア２０、２２、２４、２６が引き出される際に撮像カメラ４２により撮像された画像に映っている帯封紙幣や包装硬貨の金種毎の数と、筐体１２の内部に収納ドロア２０、２２、２４、２６が戻される際に撮像カメラ４２により撮像された画像に映っている帯封紙幣や包装硬貨の金種毎の数との差が、収納ドロア２０、２２、２４、２６に出し入れされた帯封紙幣や包装硬貨の金種毎の数となる。
【００３９】
そして、収納ドロア２０、２２、２４、２６に出し入れされた帯封紙幣や包装硬貨の情報が制御部６０により算出されると、鑑別手段４０による鑑別結果に基づく収納ドロア２０、２２、２４、２６に出し入れされた帯封紙幣や包装硬貨の情報と、操作部５２により入力された収納ドロア２０、２２、２４、２６に出し入れされた帯封紙幣や包装硬貨の情報とが一致するか否かが判定手段４８により判定される。両者の情報が一致することが判定手段４８により判定された場合には、筐体１２の内部から手前側に引き出された収納ドロア２０、２２、２４、２６が筐体１２の内部に戻された場合に当該収納ドロア２０、２２、２４、２６は対応するロック部２０ｒ、２２ｒ、２４ｒ、２６ｒによって筐体１２の内部にロックされるようになる。一方、両者の情報が一致しないと判定手段４８により判定された場合には、収納ドロア２０、２２、２４、２６に帯封紙幣や包装硬貨が正しく出し入れされていない旨の警告メッセージが表示部５０に表示されるようになる。また、この場合には、筐体１２の内部から手前側に引き出された収納ドロア２０、２２、２４、２６が筐体１２の内部に戻されても当該収納ドロア２０、２２、２４、２６は対応するロック部２０ｒ、２２ｒ、２４ｒ、２６ｒによって筐体１２の内部にロックされないようになる。このことにより、操作者は収納ドロア２０、２２、２４、２６に帯封紙幣や包装硬貨が正しく出し入れされていないことを認識することができるようになり、当該操作者は筐体１２の内部から収納ドロア２０、２２、２４、２６を再び筐体１２の手前側に引き出して帯封紙幣や包装硬貨の出し入れをもう一度行うようになる。
【００４０】
また、上記の説明では、撮像カメラ４２が筐体１２の内部において第１紙幣収納ドロア２０よりも上方に位置固定で設けられているような例について述べたが、本実施の形態はこのような態様に限定されることはない。例えば、撮像カメラ４２が筐体１２の内部において第２硬貨収納ドロア２６よりも下方に位置固定で設けられており、この撮像カメラ４２が上方向に向くようになっていてもよい。この場合には、各収納ドロア２０、２２、２４、２６の底面が透明または半透明の部材から形成されることが望ましい。このような場合でも、収納ドロア２０、２２、２４、２６が筐体１２の内部から当該筐体１２の手前側に引き出される際に、収納ドロア２０、２２、２４、２６の収納ユニット２０ａ、２２ａ、２４ａ、２６ａに収納されている帯封紙幣や包装硬貨が鑑別手段４０の撮像カメラ４２により下方から撮像されるようになる。
【００４１】
また、本実施の形態において、撮像カメラ４２は各収納ドロア２０、２２、２４、２６が並ぶ方向（すなわち、鉛直方向）に沿って移動可能なっていてもよい。この場合、鑑別手段４０は、撮像カメラ４２を鉛直方向に沿って移動させるリニアガイド等の駆動部４３（図８参照）を有しており、当該駆動部４３により撮像カメラ４２が鉛直方向に沿って移動させられるようになる。また、このような例では、指定手段４６により指定された収納ドロア２０、２２、２４、２６の位置に応じて、撮像カメラ４２が駆動部４３により各収納ドロア２０、２２、２４、２６に対応する位置に移動させられるようになっている。すなわち、鑑別手段４０により鑑別されるべき帯封紙幣や包装硬貨が収納されている収納ドロアとして指定手段４６により第１紙幣収納ドロア２０が指定された場合には、撮像カメラ４２は図６や図７に示す位置から移動しないが、鑑別手段４０により鑑別されるべき帯封紙幣や包装硬貨が収納されている収納ドロアとして指定手段４６により第２紙幣収納ドロア２２、第１硬貨収納ドロア２４、第２硬貨収納ドロア２６がそれぞれ指定された場合には、撮像カメラ４２は駆動部４３により図６や図７に示す位置から下方に移動させられ、指定手段４６により指定された収納ドロア２２、２４、２６に接近するようになる。この際に、撮像カメラ４２は収納ドロア２０、２２、２４の各鑑別用空間２０ｂ、２２ｂ、２４ｂを通過するようになる。このように、指定手段４６により指定された収納ドロア２２、２４、２６に接近するよう撮像カメラ４２が駆動部４３により移動させられることによって、撮像カメラ４２により撮像される帯封紙幣や包装硬貨の画像をより鮮明なものとすることができるようになり、よって鑑別手段４０による鑑別結果に基づいて取得される収納ドロア２０、２２、２４、２６に出し入れされた帯封紙幣や包装硬貨の情報をより精度の高いものとすることができるようになる。
【００４２】
また、本実施の形態における更に別の例として、撮像カメラ４２を筐体１２の内部において第１紙幣収納ドロア２０よりも上方または下方に位置固定で設けるとともに、鑑別手段４０は、撮像カメラ４２による撮像の態様（具体的には、撮像カメラ４２のズームやピント）を調整する調整部４４（図８参照）を有していてもよい。この場合には、指定手段４６により指定された収納ドロア２０、２２、２４、２６の位置に応じて、撮像カメラ４２による撮像の態様が調整部４４により調整させられるようになる。すなわち、鑑別手段４０により鑑別されるべき帯封紙幣や包装硬貨が収納されている収納ドロアとして指定手段４６により第１紙幣収納ドロア２０が指定された場合には、撮像カメラ４２による撮像の態様が調整部４４により調整させられないが、鑑別手段４０により鑑別されるべき帯封紙幣や包装硬貨が収納されている収納ドロアとして指定手段４６により第２紙幣収納ドロア２２、第１硬貨収納ドロア２４、第２硬貨収納ドロア２６がそれぞれ指定された場合には、撮像カメラ４２による撮像の態様が調整部４４により調整させられ、撮像カメラ４２から比較的遠い位置にある収納ドロア２２、２４、２６と撮像カメラ４２との間の距離に応じて当該撮像カメラ４２のズームやピントが自動で変えられることにより、撮像カメラ４２により撮像される帯封紙幣や包装硬貨の画像をより鮮明なものとすることができるようになり、よって鑑別手段４０による鑑別結果に基づいて取得される収納ドロア２０、２２、２４、２６に出し入れされた帯封紙幣や包装硬貨の情報をより精度の高いものとすることができるようになる。
【００４３】
以上のような構成からなる本実施の形態の貨幣収納装置１０によれば、筐体１２に対する収納ドロア２０、２２、２４、２６（引出部）の出し入れ時に当該収納ドロア２０、２２、２４、２６の収納ユニット２０ａ、２２ａ、２４ａ、２６ａ（収納領域）に収納されている帯封紙幣や包装硬貨等の有価媒体に係る情報を取得する鑑別手段４０（具体的には、撮像カメラ４２）が設けられている。また、少なくとも鑑別手段４０（すなわち、撮像カメラ４２）から最も遠い側の第２硬貨収納ドロア２６以外の各収納ドロア２０、２２、２４に対応して鑑別用空間２０ｂ、２２ｂ、２４ｂが設けられており、鑑別手段４０により収納ドロア２２、２４、２６の収納ユニット２２ａ、２４ａ、２６ａに収納されている有価媒体に係る情報を取得する際に鑑別用空間２０ｂ、２２ｂ、２４ｂを介して情報を取得することができるようになっている。このため、１つの鑑別手段４０で複数の収納ドロア２０、２２、２４、２６の収納ユニット２０ａ、２２ａ、２４ａ、２６ａに収納されている有価媒体に係る情報を取得することができ、よって各収納ドロア２０、２２、２４、２６に対応して鑑別手段４０を複数設ける場合と比較して鑑別手段４０の設置数を減らすことができ、このことにより製造コストやメンテナンスコストを低減するとともに筐体１２の内部のスペースに制約ができてしまうことを抑制することができる。
【００４４】
より詳細に説明すると、従来の貨幣収納装置では、図３に示すような、鑑別用空間２０ｂが形成されていない収納ドロア２０ｐが用いられるようになっていた。このような従来の貨幣収納装置では、筐体に対する収納ドロア２０ｐの出し入れに伴って通過する帯封紙幣や包装硬貨等の収納物の端部から貨幣検出情報を取得するラインセンサ等の貨幣検出部が筐体側に設けられていた。ここで、従来の貨幣収納装置では、図３に示すような構成の収納ドロア２０ｐが鉛直方向に沿って並ぶよう配置されており、各収納ドロア２０ｐに対応してラインセンサ等の貨幣検出部が収納ドロア２０ｐと同じ数だけ設けられていた。しかしながら、各収納ドロア２０ｐに対応するよう貨幣検出部を複数設置すると収納ドロア２０ｐの数が増えた場合には貨幣検出部の数も収納ドロア２０ｐの数に合わせて増加するため製造コストやメンテナンスコストが高くなってしまうという問題があった。また、各収納ドロア２０ｐに対応して貨幣検出部を設置する場合には例えば隣り合う収納ドロア２０ｐの間の距離を大きくしなければならないため筐体の内部のスペースに制約ができてしまうという問題があった。これに対し、本実施の形態の貨幣収納装置１０では、少なくとも鑑別手段４０から最も遠い側の第２硬貨収納ドロア２６以外の各収納ドロア２０、２２、２４に対応して鑑別用空間２０ｂ、２２ｂ、２４ｂが設けられており、鑑別手段４０により収納ドロア２２、２４、２６の収納ユニット２２ａ、２４ａ、２６ａに収納されている有価媒体に係る情報を取得する際に鑑別用空間２０ｂ、２２ｂ、２４ｂを介して情報を取得することにより、鑑別手段４０（具体的には、撮像カメラ４２）の設置数を減らすことができ、よって上述した従来の貨幣収納装置の問題点を解消することができる。
【００４５】
また、本実施の形態の貨幣収納装置１０においては、上述したように、鑑別手段４０は複数の収納ドロア２０、２２、２４、２６の一端側（具体的には、最も上側に位置する第１紙幣収納ドロア２０側）に設けられている。なお、鑑別手段４０は、最も上側に位置する第１紙幣収納ドロア２０側に設けられることに限定されることはない。他の態様として、鑑別手段４０が、最も下側に位置する第２硬貨収納ドロア２６側に設けられていてもよい。
【００４６】
また、本実施の形態の貨幣収納装置１０においては、上述したように、鑑別手段４０は、筐体１２の内部における収納ドロア２０、２２、２４、２６の引き出し方向手前側（すなわち、図６や図７の右側）の位置に設けられている。また、鑑別用空間２０ｂ、２２ｂ、２４ｂ、２６ｂは、収納ドロア２０、２２、２４、２６の内部における収納ユニット２０ａ、２２ａ、２４ａ、２６ａ（収納領域）よりも引き出し方向手前側（すなわち、図５や図６の右側）に形成されている。また、収納ドロア２０、２２、２４、２６は鉛直方向に沿って並ぶよう設けられており、鑑別手段４０は、各収納ドロア２０、２２、２４、２６よりも上方または下方に配置されており、鑑別手段４０により収納ドロア２２、２４、２６の収納ユニット２２ａ、２４ａ、２６ａに収納されている有価媒体に係る情報を取得する際に、鑑別されるべき有価媒体が収納されている収納ドロア２２、２４、２６よりも鑑別手段４０に近い側の各収納ドロア２０、２２、２４に対応する鑑別用空間２０ｂ、２２ｂ、２４ｂを介して情報を取得するようになっている。これらの技術的事項によれば、筐体１２の内部から収納ドロア２２、２４、２６を当該筐体１２の手前側に引き出したりこの引き出された収納ドロア２２、２４、２６を筐体１２の内部に戻したりする際に、当該収納ドロア２２、２４、２６と撮像カメラ４２との間に他の収納ドロアが存在していても、鑑別手段４０により収納ドロア２２、２４、２６に収納されている有価媒体を確実に撮像することができるようになる。
【００４７】
また、本実施の形態の貨幣収納装置１０においては、上述したように、鑑別手段４０により鑑別されるべき有価媒体が収納されている収納ドロア２０、２２、２４、２６を指定する指定手段４６が設けられており、撮像カメラ４２（鑑別部材）は、各収納ドロア２０、２２、２４、２６が並ぶ方向に沿って移動可能となっており、鑑別手段４０は、鑑別部材としての撮像カメラ４２を駆動する駆動部４３を有していてもよい。この場合に、指定手段４６により指定された収納ドロア２０、２２、２４、２６の位置に応じて撮像カメラ４２が駆動部４３により各収納ドロア２０、２２、２４、２６に対応する位置に移動させられるようになっていてもよい。これらの技術的事項によれば、指定手段４６により指定された収納ドロア２２、２４、２６に接近するよう撮像カメラ４２が駆動部４３により移動させられることによって、撮像カメラ４２により撮像される帯封紙幣や包装硬貨等の有価媒体の画像をより鮮明なものとすることができるようになり、よって鑑別手段４０による鑑別結果に基づいて取得される収納ドロア２０、２２、２４、２６に出し入れされた有価媒体の情報をより精度の高いものとすることができるようになる。
【００４８】
また、本実施の形態の貨幣収納装置１０においては、上述したように、鑑別手段４０により鑑別されるべき有価媒体が収納されている収納ドロア２０、２２、２４、２６を指定する指定手段４６が設けられており、鑑別手段４０は、撮像カメラ４２（鑑別部材）による鑑別態様を調整する調整部４４を有しており、指定手段４６により指定された収納ドロア２０、２２、２４、２６の位置に応じて鑑別部材としての撮像カメラ４２による鑑別態様が調整部４４により調整させられるようになっていてもよい。これらの技術的事項によれば、撮像カメラ４２から比較的遠い位置にある収納ドロア２２、２４、２６と撮像カメラ４２との間の距離に応じて当該撮像カメラ４２のズームやピント等の鑑別態様を変えることにより、撮像カメラ４２により撮像される帯封紙幣や包装硬貨等の有価媒体の画像をより鮮明なものとすることができるようになり、よって鑑別手段４０による鑑別結果に基づいて取得される収納ドロア２０、２２、２４、２６に出し入れされた有価媒体の情報をより精度の高いものとすることができるようになる。
【００４９】
また、本実施の形態の貨幣収納装置１０においては、上述したように、収納ドロア２０、２２、２４、２６の収納ユニット２０ａ、２２ａ、２４ａ、２６ａに出し入れされる有価媒体の情報を入力するための入力手段として操作部５２が設けられている。また、鑑別手段４０による鑑別結果に基づく収納ドロア２０、２２、２４、２６の収納ユニット２０ａ、２２ａ、２４ａ、２６ａに出し入れされた有価媒体の情報と、入力手段により入力された収納ドロア２０、２２、２４、２６の収納ユニット２０ａ、２２ａ、２４ａ、２６ａに出し入れされる有価媒体の情報とが一致するか否かを判定する判定手段４８が設けられている。このことにより、判定手段４８による判定結果に基づいて、収納ドロア２０、２２、２４、２６の収納ユニット２０ａ、２２ａ、２４ａ、２６ａに有価媒体を正しく出し入れしたか否かを検知することができるようになる。また、この場合、鑑別手段４０による鑑別結果に基づく収納ドロア２０、２２、２４、２６の収納ユニット２０ａ、２２ａ、２４ａ、２６ａに出し入れされた有価媒体の情報と、入力手段としての操作部５２により入力された収納ドロア２０、２２、２４、２６の収納ユニット２０ａ、２２ａ、２４ａ、２６ａに出し入れされる有価媒体の情報とが一致しないと判定手段４８により判定されたときに、判定手段４８による判定結果に係る情報が報知手段としての表示部５０により操作者に報知されるようになっていてもよい。このことにより、収納ドロア２０、２２、２４、２６の収納ユニット２０ａ、２２ａ、２４ａ、２６ａに有価媒体が正しく出し入れされなかった場合には警告メッセージが表示部５０に表示されることによって操作者は収納ドロア２０、２２、２４、２６の収納ユニット２０ａ、２２ａ、２４ａ、２６ａに有価媒体を正しく出し入れしなかったことを認識することができるようになる。
【００５０】
なお、本発明による貨幣収納装置は、上述したような態様に限定されることはなく、様々な変更を加えることができる。
【００５１】
例えば、筐体１２に対する収納ドロア２０、２２、２４、２６の出し入れ時に当該収納ドロア２０、２２、２４、２６の収納ユニット２０ａ、２２ａ、２４ａ、２６ａに収納されている帯封紙幣や包装硬貨等の有価媒体に係る情報を取得する鑑別手段は、撮像カメラ４２から構成されるものに限定されることはない。本発明に係る鑑別手段として、ラインセンサ、ビデオカメラ、磁気センサ、静電容量計等の、撮像カメラ以外のものが用いられてもよい。
【００５２】
また、本発明による貨幣収納装置の他の例として、図９に示すような構成の貨幣収納装置１０ａが用いられてもよい。図９に示すような変形例に係る貨幣収納装置１０ａでは、筐体１２の内部から当該筐体１２の前面側に引き出し可能となっており帯封紙幣や包装硬貨が収納される各収納ドロア２０ｓ、２２ｓ、２４ｓ、２６ｓに鑑別用空間２０ｂ、２２ｂ、２４ｂ、２６ｂは形成されておらず、代わりに、筐体１２の内部に収容されているときの各収納ドロア２０ｓ、２２ｓ、２４ｓ、２６ｓの前面と、筐体１２の前面１２ａとの間に鑑別用空間２９（図９において二点鎖線で示す範囲）が形成されている。なお、図９に示すような貨幣収納装置１０ａにおいて、図１乃至図８に示す貨幣収納装置１０と同じ構成部材については同じ参照符合を付けてその説明を省略する。
【００５３】
図９に示すような変形例に係る貨幣収納装置１０ａでも、鑑別手段４０は、筐体１２の内部において第１紙幣収納ドロア２０よりも上方に位置固定で設けられている撮像カメラ４２を有しており、当該撮像カメラ４２は鉛直方向下方に向けられている。なお、図９において、撮像カメラ４２により撮像される箇所を点線で示す。また、撮像カメラ４２は、筐体１２の内部に収容されているときの各収納ドロア２０ｓ、２２ｓ、２４ｓ、２６ｓの前面と、筐体１２の前面１２ａとの間に形成される鑑別用空間２９の真上の位置に設けられている。このことにより、撮像カメラ４２は、筐体１２に対する各収納ドロア２０ｓ、２２ｓ、２４ｓ、２６ｓの出し入れ時に、上から２番目以降の収納ドロア２２ｓ、２４ｓ、２６ｓについても、鑑別用空間２９を介して収納ドロア２２ｓ、２４ｓ、２６ｓの収納ユニット２２ａ、２４ａ、２６ａに収納されている帯封紙幣や包装硬貨を撮像することができるようになる。
【００５４】
図９に示すような変形例に係る貨幣収納装置１０ａでも、図１乃至図８に示す貨幣収納装置１０と同様に、各収納ドロア２０ｓ、２２ｓ、２４ｓ、２６ｓに対応して鑑別用空間２９が設けられており、鑑別手段４０により収納ドロア２０ｓ、２２ｓ、２４ｓ、２６ｓの収納ユニット２０ａ、２２ａ、２４ａ、２６ａに収納されている有価媒体に係る情報を取得する際に鑑別用空間２９を介して情報を取得することができるようになっている。このため、１つの鑑別手段４０で複数の収納ドロア２０ｓ、２２ｓ、２４ｓ、２６ｓの収納ユニット２０ａ、２２ａ、２４ａ、２６ａに収納されている有価媒体に係る情報を取得することができ、よって各収納ドロア２０ｓ、２２ｓ、２４ｓ、２６ｓに対応して鑑別手段４０を複数設ける場合と比較して鑑別手段４０の設置数を減らすことができ、このことにより製造コストやメンテナンスコストを低減するとともに筐体１２の内部のスペースに制約ができてしまうことを抑制することができる。
【００５５】
また、本発明による貨幣収納装置として、図１０に示すような構成の貨幣収納装置１１０が用いられてもよい。図１０に示すような変形例に係る貨幣収納装置１１０は、略直方体形状の筐体１１２と、筐体１１２の内部にそれぞれ収容されるとともに筐体１１２の上面１１２ａからそれぞれ上方に引出可能となっている４つの収納ドロア１２０、１２２、１２４、１２６とを備えている。なお、図１０において各収納ドロア１２０、１２２、１２４、１２６の筐体１１２の内部からの引き出し方向や筐体１１２の内部への戻し方向を矢印で示す。ここで、図１０に示すように、各収納ドロア１２０、１２２、１２４、１２６は水平方向に沿って並ぶよう設けられている。
【００５６】
各収納ドロア１２０、１２２、１２４、１２６は、帯封紙幣や包装硬貨等の有価媒体が収納される収納ユニット１２０ａ、１２２ａ、１２４ａ、１２６ａを有している。ここで、収納ユニット１２０ａ、１２２ａ、１２４ａ、１２６ａにおける一方の側面（具体的には、図１０における左側の側面）は透明または半透明の部材から形成されている。また、各収納ドロア１２０、１２２、１２４、１２６において、各収納ユニット１２０ａ、１２２ａ、１２４ａ、１２６ａよりも上方には中空の（言い換えると、空洞の）鑑別用空間１２０ｂ、１２２ｂ、１２４ｂ、１２６ｂが形成されており、この鑑別用空間１２０ｂ、１２２ｂ、１２４ｂ、１２６ｂは図１０において水平方向に貫通している。また、各収納ドロア１２０、１２２、１２４、１２６の上面には、筐体１１２の内部からこれらの収納ドロア１２０、１２２、１２４、１２６を引き出す際に操作者の手により把持される取っ手（図示せず）が設けられている。
【００５７】
また、図１０に示すような変形例に係る貨幣収納装置１１０では、筐体１１２に対する各収納ドロア１２０、１２２、１２４、１２６の出し入れ時に当該収納ドロア１２０、１２２、１２４、１２６の各収納ユニット１２０ａ、１２２ａ、１２４ａ、１２６ａに収納されている帯封紙幣や包装硬貨に係る情報を取得する鑑別手段として撮像カメラ１４２が設けられている。より詳細には、撮像カメラ１４２は、筐体１１２の内部において最も左側に位置する収納ドロア１２０よりも左方に位置固定で設けられており、この撮像カメラ１４２は図１０における右方向に向けられている。なお、図１０において、撮像カメラ１４２により撮像される箇所を点線で示す。また、撮像カメラ１４２は、筐体１１２の内部において当該筐体１１２の上面１１２ａの近傍の位置に設けられている。ここで、撮像カメラ１４２は、筐体１１２に収容されている状態における各収納ドロア１２０、１２２、１２４、１２６の鑑別用空間１２０ｂ、１２２ｂ、１２４ｂ、１２６ｂの左側の位置に設けられている。このことにより、撮像カメラ１４２は、筐体１１２に対する各収納ドロア１２０、１２２、１２４、１２６の出し入れ時に、左から２番目以降の収納ドロア１２２、１２４、１２６についても、この収納ドロア１２２、１２４、１２６と撮像カメラ１４２との間に位置する収納ドロア１２０、１２２、１２４の鑑別用空間１２０ｂ、１２２ｂ、１２４ｂを介して、収納ドロア１２２、１２４、１２６の収納ユニット１２２ａ、１２４ａ、１２６ａに収納されている帯封紙幣を撮像することができるようになる。なお、４つの収納ドロア１２０、１２２、１２４、１２６のうち最も右側に設けられる収納ドロア１２６については、この収納ドロア１２６が撮像カメラ１４２から最も遠い位置にあり、収納ドロア１２６よりも右方の領域を撮像カメラ１４２により撮像する必要がないため、収納ドロア１２６において鑑別用空間１２６ｂが形成されていなくてもよい。
【００５８】
図１０に示すような変形例に係る貨幣収納装置１１０でも、図１乃至図８に示す貨幣収納装置１０と同様に、少なくとも撮像カメラ１４２（鑑別手段）から最も遠い側の収納ドロア１２６以外の各収納ドロア１２０、１２２、１２４に対応して鑑別用空間１２０ｂ、１２２ｂ、１２４ｂが設けられており、鑑別手段としての撮像カメラ１４２により収納ドロア１２２、１２４、１２６の収納ユニット１２２ａ、１２４ａ、１２６ａに収納されている有価媒体に係る情報を取得する際に鑑別用空間１２０ｂ、１２２ｂ、１２４ｂを介して情報を取得することができるようになっている。このため、１つの鑑別手段で複数の収納ドロア１２０、１２２、１２４、１２６の収納ユニット１２０ａ、１２２ａ、１２４ａ、１２６ａに収納されている有価媒体に係る情報を取得することができ、よって各収納ドロア１２０、１２２、１２４、１２６に対応して撮像カメラ１４２等の鑑別手段を複数設ける場合と比較して鑑別手段の設置数を減らすことができ、このことにより製造コストやメンテナンスコストを低減するとともに筐体１１２の内部のスペースに制約ができてしまうことを抑制することができる。
【００５９】
また、更に別の変形例に係る貨幣収納装置として、各収納ドロアよりも上方の領域に撮像カメラが鑑別手段として位置固定で設けられており、この撮像カメラが筐体の前面から前方（すなわち、手前側）に突出した位置で下向きに配置されていてもよい。このような貨幣収納装置では、筐体の前面よりも手前側であって撮像カメラの下方の箇所に鑑別用空間が形成されるようになる。このような更に別の変形例に係る貨幣収納装置でも、１つの鑑別手段で複数の収納ドロアの収納ユニットに収納されている有価媒体に係る情報を取得することができ、よって各収納ドロアに対応して撮像カメラ等の鑑別手段を複数設ける場合と比較して鑑別手段の設置数を減らすことができ、このことにより製造コストやメンテナンスコストを低減するとともに筐体の内部のスペースに制約ができてしまうことを抑制することができる。
【００６０】
また、本実施の形態に係る貨幣収納装置において、撮像カメラ等の鑑別手段は、複数の収納ドロアの一端側に設けられることに限定されることはない。本実施の形態に係る貨幣収納装置の他の例として、撮像カメラ等の鑑別手段が、複数の収納ドロアの間の位置に設けられていてもよい。この場合には、例えば撮像カメラによる撮像方向を１８０°回転させて向きを変えることができるようになっていてもよい。
【００６１】
また、本実施の形態による貨幣収納装置において、各収納ドロアの収納ユニットに、図１１に示すような構成の収納トレイ８０を複数設けてもよい。図１１に示すように、各収納トレイ８０には所定の本数（例えば、２０本）の包装硬貨を立位状態で収納することができるようになっている。また、図１１に示すように、各収納トレイ８０には取っ手８２が設けられており、操作者は手で取っ手８２を把持することにより収納トレイ８０に収納されている包装硬貨を収納トレイ８０ごと運搬することができるようになる。なお、収納トレイ８０が各収納ドロアの収納ユニットにセットされている状態では、図１１において二点鎖線で示すように取っ手８２は横に倒されるようになる。
【００６２】
また、本実施の形態による貨幣収納装置において、図１２に示すように、各収納ドロアの収納ユニットに、図１１に示す収納トレイ８０を複数収容する受け部８４が１または複数設けられていてもよい。ここで、各受け部８４は各収納ドロアの収納ユニットに位置固定または着脱可能に設けられるようになっている。また、図１２において矢印で示すように、収納トレイ８０を受け部８４から取り出したり当該受け部８４に収納トレイ８０を入れたりすることができるようになっている。
【００６３】
このような収納トレイ８０を用いた場合には、貨幣収納装置の収納ドロアから収納トレイ８０を取り出すだけで複数の包装硬貨を収納トレイ８０に収納させた状態で一度に運搬することができるようになるため、操作者の作業負荷を軽減することができるようになる。すなわち、このような収納トレイ８０を用いない場合には、操作者は貨幣収納装置の収納ドロアから包装硬貨を手で取り出して運搬用のカゴやザル等の容器に移し替えなければならないが、一度に多くの包装硬貨を移し替えることができないため、操作者は何度も包装硬貨の移し替えを行わなければならず作業負荷が大きいという問題があった。また、包装硬貨を貨幣収納装置の収納ドロアから運搬用の容器に操作者が手で移し替える際に包装硬貨を誤って落としてしまい、包装硬貨を紛失してしまうおそれがあった。これに対し、図１１に示すような収納トレイ８０を用いた場合にはこのような問題を解消することができるようになる。
【００６４】
また、各収納ドロアの収納ユニット（具体的には、例えば、受け部８４）に、各収納トレイ８０を検知する検知センサ（図示せず）が設けられていてもよい。また、各収納ドロアの収納ユニットに収納されている包装硬貨の重量を測定するための重量計が各収納ドロアに設けられていてもよい。具体的には、重量計は各受け部８４の下方に設けられており、受け部８４に載せられた物体の重量（具体的には、包装硬貨や収納トレイ８０の重量）が重量計により測定されるようになっている。ここで、各収納ドロアの収納ユニットに収納されている包装硬貨の重量を重量計によって測定することにより、この測定結果に基づいて各収納ドロアの収納ユニットに収納されている包装硬貨の本数を算出することができるようになる。また、収納トレイ８０が収納ドロアの収納ユニットにセットされ、このセットされた収納トレイ８０が検知センサにより検知された場合には、各収納ドロアの収納ユニットに収納されている包装硬貨の重量に基づいて当該包装硬貨の本数を算出する際に、重量計による測定結果から収納トレイ８０の重量を差し引いて包装硬貨の本数を算出するようになる。
【００６５】
また、図１１に示すような収納トレイ８０にシャッター機構（図示せず）を設けてもよい。ここで、シャッター機構が閉じられると、操作者は収納トレイ８０に包装硬貨を入れたり当該収納トレイ８０から包装硬貨を取り出したりすることができなくなる。このように、収納トレイ８０にシャッター機構を設けた場合には、収納トレイ８０に収納されている包装硬貨に手を触れることなく当該収納トレイ８０を運搬することができるようになる。
【００６６】
また、図１１および図１２に示すような例では収納トレイ８０に包装硬貨が収納されているような態様が示されているが、収納トレイ８０に包装硬貨を収納する代わりに帯封紙幣を収納するようにしてもよい。
【００６７】
また、本発明に係る有価媒体収納装置は、帯封紙幣や包装硬貨等の貨幣を収納する貨幣収納装置に限定されることはない。本発明に係る有価媒体収納装置として、小切手や商品券等の、貨幣以外の有価媒体を収納するものが用いられてもよい。
【符号の説明】
【００６８】
１０、１０ａ  貨幣収納装置
１２      筐体
１２ａ    前面
２０、２２、２４、２６、２８  収納ドロア
２０ａ、２２ａ、２４ａ、２６ａ  収納ユニット
２０ｂ、２２ｂ、２４ｂ、２６ｂ  鑑別用空間
２０ｃ、２２ｃ、２４ｃ、２６ｃ  取っ手
２０ｐ    収納ドロア
２０ｒ、２２ｒ、２４ｒ、２６ｒ、２８ｒ  ロック部
２０ｓ、２２ｓ、２４ｓ、２６ｓ  収納ドロア
２９      鑑別用空間
４０      鑑別手段
４２      撮像カメラ
４３      駆動部
４４      調整部
４６      指定手段
４８      判定手段
５０      表示部
５２      操作部
５４      カードリーダ
６０      制御部
６２      記憶部
６４      通信インターフェース部
６６      外部装置
８０      収納トレイ
８２      取っ手
８４      受け部
１１０    貨幣収納装置
１１２    筐体
１１２ａ  上面
１２０、１２２、１２４、１２６  収納ドロア
１２０ａ、１２２ａ、１２４ａ、１２６ａ  収納ユニット
１２０ｂ、１２２ｂ、１２４ｂ、１２６ｂ  鑑別用空間
１４２    撮像カメラ
【図１】
2017167784.tif 000003
【図２】
2017167784.tif 000004
【図３】
2017167784.tif 000005
【図４】
2017167784.tif 000006
【図５】
2017167784.tif 000007
【図６】
2017167784.tif 000008
【図７】
2017167784.tif 000009
【図８】
2017167784.tif 000010
【図９】
2017167784.tif 000011
【図１０】
2017167784.tif 000012
【図１１】
2017167784.tif 000013
【図１２】
2017167784.tif 000014